(57)【特許請求の範囲】
【請求項１】
ノズルが装着された第１のホースの端部に取り付けられた係合部材と、第２のホースの端部に装着された継手と、この継手に設けられた係止部材と、この係止部材に形成された係止爪とを備え、前記ノズルを前記継手に嵌挿すると共に、前記係止爪を前記係合部材に係合して前記第１のホースと前記第２のホースとを抜け止めし、水密かつ着脱可能に接合するホース接合装置であって、前記係合部材が、係合された前記係止部材の横ずれ防止構造を備えており、前記係止部材は前記継手に一体に形成されていることを特徴とするホース接合装置。
【請求項２】
横ずれ防止構造が、係合部材の外周部分に切り欠き形成された凹部でなり、該凹部の深さ寸法が係止部材の係合部分の高さ寸法より大きいものとなっていることを特徴とする請求項１記載のホース接合装置。
【請求項３】
係合部材が、係合された係止部材の係合解除方向の動きを拘束する保持具を備えていることを特徴とする請求項２記載のホース接合装置。
【請求項４】
係合部材が、係合された係止部材を覆う保持カバーを備えていることを特徴とする請求項２記載のホース接合装置。
【請求項５】
横ずれ防止構造が、係合部材の外周部分に突出するよう係合孔が形成された凸部でなり、前記係合孔は係止部材が係合可能に貫通するように形成されたものであることを特徴とする請求項１記載のホース接合装置。
【請求項６】
横ずれ防止構造が、係合部材の外周部分にホース接合方向に削設された溝部と、該溝部を横断するように設けられた係止部材の係止爪を係合する係合段部とを備えていることを特徴とする請求項１記載のホース接合装置。
【請求項７】
溝部が、深溝と浅溝をホース接合方向に交差する方向に隣接して設けたものであって、係合段部が前記深溝を横断するように設けられていることを特徴とする請求項６記載のホース接合装置。
【請求項８】
溝部は、係止爪を係合段部に係合させた際に係止部材が該溝部の外に出ない深さ寸法であることを特徴とする請求項６、請求項７のいずれかに記載のホース接合装置。
【発明の詳細な説明】
【０００１】
【発明の属する技術分野】
本発明は、例えば洗濯機の給水口に取り付けた給水ホースに延長ホースを水密かつ着脱可能に接続するためのホース接合装置に関する。
【０００２】
【従来の技術】
周知の通り、全自動洗濯機等では、その給水口と水道栓とを給水ホースで直結するようにして使用している。そして、給水口と水道栓との距離が離れていて給水ホースだけでは届かない場合、給水ホースの先端の継手部に延長ホースのノズル部を水密かつ着脱可能に接続し、さらに延長ホースの先端の継手部を水道栓に取り付けて給水を行うようにしている。この時、ホース接合装置が給水ホースの継手部に延長ホースのノズル部を単に差し込むだけのものでは、給水ホースの先端部分に延長ホースを接続する際に差し込み方が不十分であると、給水ホースあるいは延長ホースに外力が加わった場合、差し込み方向とは逆方向に抜け外れてしまう虞があった。
【０００３】
このため、以下に図１０を参照して説明するようなホース接合装置が従来は用いられていた。すなわち、図１０はホース接合装置を説明するための図で、図１０（ａ）はノズル部を断面で示す延長ホースの側面図、図１０（ｂ）は給水ホースの側面図である。
【０００４】
図１０において、１は延長ホースで、延長ホース本体２の先端に水道栓に取り付けるための継手部３、他端にノズル部４を設けて構成されている。そして継手部３は、延長ホース本体２の先端に係止部材５を設けた継手６を装着して構成されており、係止部材５は、継手６の外周部分に突出する支持部７によって中間部が支持され、支持部７が弾性変形することによって延長ホース１の略軸方向を含む面内で揺動可能に形成されている。さらに係止部材５には先端に係止爪８が形成されている。一方、ノズル部４は、延長ホース本体２の他端に円形環状板でなる係合部材９とノズル１０を装着して構成されており、係合部材９は、ノズル１０の片端側を延長ホース本体２の他端部に圧入するようにして装着する際、両方の間に挟持するようにして取り付けられている。
【０００５】
また、１１は給水ホースで、給水ホース本体１２の先端に同じく水道栓に取り付けるための継手部３、他端に洗濯機の給水口に取り付けるための給水口ナット１３を設けて構成されている。なお、１４は延長ホース１及び給水ホース１１の両端に設けられた継手部３の継手６やノズル部４のノズル１０、給水口ナット１３の各ホース本体２，１２での保持を強化するためにかしめ固定されたキャップである。
【０００６】
このように構成されているので、給水ホース１１に延長ホース１を接続する場合には、給水ホース１１の先端の継手部３に、延長ホース１の他端のノズル部４を差し込むように嵌め合わせると共に、給水ホース１１の継手部３に設けられた係止部材５を、支持部７を弾性変形させながら延長ホース１の略軸方向を含む面内で先端の係止爪８を引き起こすように操作し、延長ホース１の円形環状板の係合部材９の外周部分に係止爪８を支持部７の弾性復元力によって引掛け、係止部材５を係合部材９に係合する。これにより継手部３にノズル部４が十分に差し込まれることになり、さらに係止部材５の係止爪８が係合部材９に引掛けられているので、給水ホース１１あるいは延長ホース１に外力が加わった場合でも、差し込み方向とは逆の方向には簡単に抜け外れてしまうことがない。
【０００７】
しかしながら上記の従来技術においては、継手部３へのノズル部４の差し込みが不十分になる虞は減少するものの、継手部３とノズル部４の接合部分が床面上に置かれていたりすると踏み付けられたり、また設置物の隙間に挟まれるなどしたりすることによって、係止部材５に直接外力が加わって係止爪８が係合部材９から外れてしまったり、係止部材５が破損等する虞があった。
【０００８】
【発明が解決しようとする課題】
上記のような状況に鑑みて本発明はなされたもので、ホース接合が十分に行えると共に、外力が加わっても係止部材が係合部材から簡単には外れてしまったりすることがないようにしたホース接合装置を提供することを目的とする。
【０００９】
【課題を解決するための手段】
本発明のホース接合装置は、ノズルが装着された第１のホースの端部に取り付けられた係合部材と、第２のホースの端部に装着された継手と、この継手に設けられた係止部材と、この係止部材に形成された係止爪とを備え、ノズルを継手に嵌挿すると共に、係止爪を係合部材に係合して第１のホースと第２のホースとを抜け止めし、水密かつ着脱可能に接合するホース接合装置であって、係合部材が、係合された係止部材の横ずれ防止構造を備えており、係止部材は継手に一体に形成されていることを特徴とするものであり、
さらに、横ずれ防止構造が、係合部材の外周部分に切り欠き形成された凹部でなり、該凹部の深さ寸法が係止部材の係合部分の高さ寸法より大きいものとなっていることを特徴とするものであり、
さらに、係合部材が、係合された係止部材の係合解除方向の動きを拘束する保持具を備えていることを特徴とするものであり、
さらに、係合部材が、係合された係止部材を覆う保持カバーを備えていることを特徴とするものであり、
さらに、横ずれ防止構造が、係合部材の外周部分に突出するよう係合孔が形成された凸部でなり、係合孔は係止部材が係合可能に貫通するように形成されたものであることを特徴とするものであり、
さらに、横ずれ防止構造が、係合部材の外周部分にホース接合方向に削設された溝部と、該溝部を横断するように設けられた係止部材の係止爪を係合する係合段部とを備えていることを特徴とするものであり、
さらに、溝部が、深溝と浅溝をホース接合方向に交差する方向に隣接して設けたものであって、係合段部が深溝を横断するように設けられていることを特徴とするものであり、
さらに、溝部は、係止爪を係合段部に係合させた際に係止部材が該溝部の外に出ない深さ寸法であることを特徴とするものである。
【００１０】
【発明の実施の形態】
以下、本発明の実施の形態を図面を参照して説明する。
【００１１】
先ず、第１の実施形態を図１及び図２により説明する。図１はホース接合装置を説明するための図で、図１（ａ）はノズル部を断面で示す延長ホースの側面図、図１（ｂ）は給水ホースの側面図であり、図２はホース接合装置の要部の斜視図である。
【００１２】
図１及び図２において、２１は第１のホースである延長ホースで、これは可撓性を有する耐圧ホースでなる延長ホース本体２２の先端に水道栓に取り付けるための継手部２３を設け、他端にノズル部２４を設けて構成されている。そして継手部２３は、延長ホース本体２２の先端に、係止部材２５を一体成形により設けた合成樹脂製の継手２６を装着して構成されている。また、係止部材２５は、継手２６の外周部分に外方に突出するように形成された板状の支持部２７によって中間部が支持され、支持部２７が弾性変形することによって延長ホース２１の略軸方向を含む面内で揺動可能に設けられている。さらに係止部材２５の先端には同じく係止爪２８が一体成形により形成されている。
【００１３】
一方、ノズル部２４は、延長ホース本体２２の他端に円形環状板でなる係合部材２９とノズル３０を装着して構成されている。ノズル３０は中間部に中間鍔部３１を有し、片端側には延長ホース本体２２に圧入するように装着した際に抜け止まるように形成した抜け止め段部３２を備え、さらに他端側には、後述する給水ホース３３に接続する際に給水ホース３３の継手２６が水密かつ着脱可能に接合されるよう形成した嵌合段部３４を備えている。
【００１４】
また、係合部材２９は、円形環状板の外周部分に係止部材２５の横ずれ防止構造である凹部３５が少なくとも１か所切り欠き形成されており、その形状寸法は給水ホース３３の継手２６に設けられた係止部材２５が係合した際に凹部３５から突出しない寸法となっている。すなわち、凹部３５の深さ寸法は係止部材２５の係合部分の高さ寸法より大きいものとなっている。そして係合部材２９は、ノズル３０の片端側の抜け止め段部３２を延長ホース本体２２の他端部に圧入するようにして装着する際、抜け止め段部３２を係合部材２９の内径部３６に貫通させた状態で、延長ホース本体２２の他端面とノズル３０の中間鍔部３１との間に挟持するようにして取り付けられている。
【００１５】
また、第２のホースである給水ホース３３は、可撓性を有する耐圧ホースでなる給水ホース本体３７の先端に、延長ホース２１に設けられているものと同構成の水道栓に取り付けるための継手部２３を設け、他端に洗濯機の給水口に取り付けるための給水口ナット３８を設けて構成されている。なお、３９は延長ホース２１及び給水ホース３３の両端に設けられた継手部２３の継手２６やノズル部２４のノズル３０、給水口ナット３８の各ホース本体２２，３７での保持を強化するためにかしめ固定されたキャップである。また、４０ａ，４０ｂは係止部材２５に突出するように設けられた引き起こし操作範囲を規制する規制突起および規制片である。
【００１６】
このように構成されているので、給水ホース３３に延長ホース２１を接続する場合には、給水ホース３３の先端に設けられた継手部２３の継手２６に、延長ホース２１の他端に設けられたノズル部２４のノズル３０を差し込むように嵌め合わせると共に、給水ホース３３の継手部２３に設けられた係止部材２５を、支持部２７を弾性変形させながら延長ホース２１の略軸方向を含む面内で、規制突起４０ａと規制片４０ｂにより動きが規制される範囲内で先端の係止爪２８を引き起こすように後端側を操作し、延長ホース２１の円形環状板の係合部材２９の外周部分に形成された凹部３５内に係止部材２５を嵌め合わせ、さらに係止爪２８を支持部２７の弾性復元力によって凹部３５の底部分に引掛け、係止部材２５を係合部材２９に係合する。これにより継手部２３の継手２６にノズル部２４のノズル３０が十分に差し込まれる。
【００１７】
また、この時、係止部材２５は、係合部材２９の凹部３５内に外周部分より外方に突出しないように嵌め合わされ、さらに先端の係止爪２８が凹部３５の底部分に引掛けられた状態になるため、給水ホース３３あるいは延長ホース２１に外力が加わった場合でも、差し込み方向とは逆の方向には簡単に抜け外れてしまうことがなくなる。また継手部２３とノズル部２４の接合部分が床面上に置かれていて踏み付けられたり、設置物の隙間に挟まれるなどしたりしても、凹部３５内に嵌め合わされていて横方向への動きが規制されているので、係止部材２５は外力を受けて横方向にずれ動くことがなくなる。これにより係止爪２８が係合部材２９から外れてしまうことがなく、係止部材２５が変形したり、破損したりする虞が低減する。
【００１８】
なお、給水ホース３３と延長ホース２１の接続を解除する場合には、再び係止部材２５を操作し、支持部２７を弾性変形させながら先端の係止爪２８を引き起こして係合部材２９の凹部３５の底部分から外し、この状態で継手２６からノズル３０を差し込み方向とは逆の方向に引き抜くことによって、給水ホース３３と延長ホース２１の接続は解除される。
【００１９】
次に、第２の実施形態を図３により説明する。図３はホース接合装置の要部の斜視図である。なお、第１の実施形態と同一部分には同一符号を付して説明を省略し、異なる本実施形態の構成について説明する。
【００２０】
図３において、４１は第１のホースである延長ホースで、延長ホース本体２２の先端に給水ホース３３と同構成の図示しない継手部を設け、他端にノズル部４２を設けて構成されている。この延長ホース４１は、ノズル部４２の軸方向外側を給水ホース３３の継手部２３に接合することによって給水ホース３３と接続されるものである。そして延長ホース４１に設けられたノズル部４２は、延長ホース本体２２の他端に略円形環状板でなる係合部材４３と図示しないノズルを装着して構成されている。係合部材４３は、係合された継手２６の係止部材２５の横ずれ防止構造である係合孔４４を有する凸部４５が、その略円形環状板の外周部分に少なくとも１か所突出するように形成されており、凸部４５に形成された係合孔４４は係止部材２５が係合可能に貫通するような形状に形成されている。また係合部材４３は、ノズルの片端側を延長ホース本体２２の他端部に圧入するようにして装着する際、ノズルの片端側を係合部材４３の内径部分に貫通させた状態で、延長ホース本体２２の他端面とノズルの図示しない中間鍔部との間に挟持するようにして取り付けられている。
【００２１】
このように構成されているので、給水ホース３３に延長ホース４１を接続する場合には、給水ホース３３の先端に設けられた継手部２３の継手２６に、延長ホース４１の他端に設けられたノズル部４２のノズルを差し込むように嵌め合わせると共に、差し込む際に給水ホース３３の継手部２３に設けられた係止部材２５を、支持部２７を弾性変形させながら延長ホース４１の略軸方向を含む面内で先端の係止爪２８を引き起こすように後端側を操作しながら、係止部材２５を延長ホース４１の係合部材４３に形成された凸部４５の係合孔４４に貫通させ、その後に係止爪２８を支持部２７の弾性復元力によって係合孔４４の縁部分に引掛け、係止部材２５を係合部材４３に係合する。これにより継手部２３の継手２６にノズル部４２のノズルが十分に差し込まれる。
【００２２】
また、この時、係止部材２５は、係合部材４３の係合孔４４内に、凸部４５の逆Ｕ字状のアーチで外側が防護されるようにして嵌め合わされ、さらに先端の係止爪２８が係合孔４４の縁部分に引掛けられた状態になるため、給水ホース３３あるいは延長ホース４１に外力が加わった場合でも、差し込み方向とは逆の方向には簡単に抜け外れてしまうことがなくなる。また継手部２３とノズル部４２の接合部分が床面上に置かれていて踏み付けられたり、設置物の隙間に挟まれるなどしたりしても、係止部材２５は係合孔４４を有する凸部４５に嵌め合わされていて横方向への動きが規制されているので、係止部材２５は外力を受けて横方向にずれ動くことがなくなる。これにより係止爪２８が係合部材４３から外れてしまうことがなく、係止部材２５が変形したり、破損したりする虞が低減する。
【００２３】
なお、給水ホース３３と延長ホース４１の接続を解除する場合には、再び係止部材２５を操作し、支持部２７を弾性変形させながら先端の係止爪２８を引き起こして係合部材４３の係合孔４４の縁部分から外し、この状態で継手２６からノズルを差し込み方向とは逆の方向に引き抜くことによって、給水ホース３３と延長ホース４１の接続は解除される。
【００２４】
次に、第３の実施形態を図４により説明する。図４はホース接合装置の要部の斜視図である。なお、第１の実施形態と同一部分には同一符号を付して説明を省略し、異なる本実施形態の構成について説明する。
【００２５】
図４において、５１は第１のホースである延長ホースで、延長ホース本体２２の先端に給水ホース３３と同構成の図示しない継手部を設け、他端にノズル部５２を設けて構成されている。この延長ホース５１は、ノズル部５２の軸方向外側を第２のホースである給水ホース３３の継手部２３に接合することによって給水ホース３３と接続されるものである。そして延長ホース５１に設けられたノズル部５２は、延長ホース本体２２の他端に、外形状が略円錐台状の筒状体でなる係合部材５３を径大部が軸方向外方側となるように装着すると共に、図示しないノズルを装着して構成されている。係合部材５３は、係合された継手２６の係止部材２５の横ずれ防止構造である軸方向の溝部５４が、その筒状体の外面部分に少なくとも１か所形成されており、溝部５４には軸方向外側部分に横断するように係止部材２５の係止爪２８が引掛けられ係合する係合段部５５が設けられている。
【００２６】
また、溝部５４の形状寸法は、係合段部５５に係止爪２８を引掛け係合させた際に溝部５４から係止部材２５が突出しない寸法となっている。すなわち、溝部５４の深さ寸法は係止部材２５の係合部分の高さ寸法より大きいものとなっている。また係合部材５３は、ノズルの片端側を延長ホース本体２２の他端部に圧入するようにして装着する際、ノズルの片端側を係合部材５３の内径部分に貫通させた状態で、延長ホース本体２２の他端面とノズルの図示しない中間鍔部との間に挟持するようにして取り付けられている。
【００２７】
このように構成されているので、給水ホース３３に延長ホース５１を接続する場合には、給水ホース３３の先端に設けられた継手部２３の継手２６に、延長ホース５１の他端に設けられたノズル部５２のノズルを実線矢印Ｘで示す方向に差し込むように嵌め合わせると共に、差し込む際に給水ホース３３の継手部２３に設けられた係止部材２５を、支持部２７を弾性変形させながら延長ホース５１の略軸方向を含む面内で先端の係止爪２８を引き起こすように後端側を操作しながら、係止部材２５を延長ホース５１の係合部材５３に形成された溝部５４に嵌め合わせ、その後に係止爪２８を支持部２７の弾性復元力によって係合段部５５に引掛け、係止部材２５を係合部材５３に係合する。これにより継手部２３の継手２６にノズル部５２のノズルが十分に差し込まれる。
【００２８】
また、この時、係止部材２５は、係合部材５３の溝部５４内に外周面部分より外方に突出しないように嵌め合わされ、さらに先端の係止爪２８が係合段部５５に引掛けられた状態になるため、給水ホース３３あるいは延長ホース５１に外力が加わった場合でも、差し込み方向とは逆の方向には簡単に抜け外れてしまうことがなくなる。また継手部２３とノズル部５２の接合部分が床面上に置かれていて踏み付けられたり、設置物の隙間に挟まれるなどしたりしても、係止部材２５は溝部５４内に嵌め合わされていて横方向への動きが規制されているので、外力を受けて横方向にずれ動くことがなくなる。これにより係止爪２８が係合部材５３から外れてしまうことがなく、係止部材２５が変形したり、破損したりする虞が低減する。
【００２９】
なお、給水ホース３３と延長ホース５１の接続を解除する場合には、再び係止部材２５を操作し、支持部２７を弾性変形させながら先端の係止爪２８を引き起こして係合部材５３の溝部５４の係合段部５５から外し、この状態で継手２６からノズルを差し込み方向とは逆の方向に引き抜くことによって、給水ホース３３と延長ホース５１の接続は解除される。
【００３０】
次に、第４の実施形態を図５により説明する。図５はホース接合装置の要部の斜視図である。なお、第１の実施形態と同一部分には同一符号を付して説明を省略し、異なる本実施形態の構成について説明する。
【００３１】
図５において、６１は第１のホースである延長ホースで、延長ホース本体２２の先端に給水ホース３３と同構成の図示しない継手部を設け、他端にノズル部６２を設けて構成されている。この延長ホース６１は、ノズル部６２の軸方向外側を第２のホースである給水ホース３３の継手部２３に接合することによって給水ホース３３と接続されるものである。そして延長ホース６１に設けられたノズル部６２は、延長ホース本体２２の他端に、外形状が略円錐台状の筒状体でなる係合部材６３を径大部が軸方向外方側となるように装着すると共に、図示しないノズルを装着して構成されている。また係合部材６３は、係合された継手２６の係止部材２５の横ずれ防止構造である軸方向の溝部６４が、その筒状体の外面部分に少なくとも１か所形成されている。溝部６４は浅溝６５と、この浅溝６５に周方向に隣接して削設された深溝６６とを有し、深溝６６には軸方向外側部分に横断するように係止部材２５の係止爪２８が引掛けられ係合する係合段部６７が設けられている。
【００３２】
また、溝部６４の形状寸法は、浅溝６５の深さ寸法については、ノズル部６２と継手部２３とを接合する際に引き起こした係止爪２８が、通過可能な深さとなっており、深溝６６の深さ寸法については、係合段部６７に係止爪２８を引掛け係合させた際に深溝６６及び溝部６４から係止部材２５が突出しない寸法、すなわち、係止部材２５の係合部分の高さ寸法より大きいものとなっている。さらに係合段部６７の高さ寸法は、係止部材２５の動きが規制突起４０ａと規制片４０ｂにより規制されるまで引き起こした係止爪２８が、乗り越えない高さとなっている。また係合部材６３は、ノズルの片端側を延長ホース本体２２の他端部に圧入するようにして装着する際、ノズルの片端側を係合部材６３の内径部分に貫通させた状態で、延長ホース本体２２の他端面とノズルの図示しない中間鍔部との間に挟持するようにして取り付けられている。
【００３３】
このように構成されているので、給水ホース３３に延長ホース６１を接続する場合には、給水ホース３３の先端に設けられた継手部２３の継手２６に、延長ホース６１の他端に設けられたノズル部６２のノズルを実線矢印Ｘで示す方向に差し込むように嵌め合わせると共に、差し込む際に給水ホース３３の継手部２３に設けられた係止部材２５を、支持部２７を弾性変形させながら延長ホース６１の略軸方向を含む面内で先端の係止爪２８を引き起こすように後端側を操作し、さらに、係止部材２５を延長ホース６１の係合部材６３に形成された溝部６４の浅溝６５に軸方向に動かして嵌め合わせ、続いて実線矢印Ｙで示すように周方向に回動することで係止部材２５の係止爪２８が深溝６６内に嵌め合わされるようにする。その後に係止爪２８を支持部２７の弾性復元力によって係合段部６７に引掛け、係止部材２５を係合部材６３に係合する。これにより継手部２３の継手２６にノズル部６２のノズルが十分に差し込まれる。
【００３４】
また、この時、係止部材２５は、係合部材６３の溝部６４内に外周面部分より外方に突出しないように嵌め合わされ、さらに先端の係止爪２８が軸方向と周方向の２つの動きを組み合わせた形で係合段部６７に引掛けられた状態になるため、給水ホース３３あるいは延長ホース６１に外力が加わった場合でも、差し込み方向とは逆の方向には簡単に抜け外れてしまうことがなくなる。また継手部２３とノズル部６２の接合部分が床面上に置かれていて踏み付けられたり、設置物の隙間に挟まれるなどしたりしても、係止部材２５は溝部６４内に嵌め合わされていて横方向への動きが規制されているので、外力を受けて横方向にずれ動くことがなくなる。これにより係止爪２８が係合部材５３から外れてしまうことがなく、係止部材２５が変形したり、破損したりする虞が低減する。
【００３５】
なお、給水ホース３３と延長ホース６１の接続を解除する場合には、再び係止部材２５を操作し、支持部２７を弾性変形させながら先端の係止爪２８を引き起こして係合部材６３の溝部６４の係合段部６７から外し、続いてノズル部６２を周方向に回動して係止爪２８が深溝６６から浅溝６５に来るようにする。そして、この状態で継手２６からノズルを差し込み方向とは逆の方向に引き抜くことによって、給水ホース３３と延長ホース６１の接続は解除される。
【００３６】
次に、第５の実施形態を図６及び図７により説明する。図６はホース接合装置の要部の斜視図であり、図７はノズル部の斜視図である。なお、第１の実施形態と同一部分には同一符号を付して説明を省略し、異なる本実施形態の構成について説明する。
【００３７】
図６及び図７において、７１は第１のホースである延長ホース、７２は第２のホースである給水ホースで、延長ホース本体２２及び給水ホース本体３７の先端には継手部７３が設けられている。なお、延長ホース本体２２の継手部７３については図示してない。また、延長ホース本体２２の他端にはノズル部７４が設けられ、給水ホース本体３７の他端には洗濯機の給水口に取り付けるための図示しない給水口ナットが設けられており、延長ホース７１は、ノズル部７４の軸方向外側を給水ホース７２の継手部７３に接合することによって、給水ホース７２と接続される。そして給水ホース７２の継手部７３は、給水ホース本体３７の先端に、係止部材７５を一体成形により設けた合成樹脂製の継手７６を装着して構成されている。また、係止部材７５は、継手７６の外周部分に外方に突出するように形成された板状の支持部２７によって中間部が支持され、支持部２７が弾性変形することによって給水ホース７２の略軸方向を含む面内で揺動可能に設けられている。さらに係止部材７５の先端には係止爪２８が同じく一体成形により形成され、後端には保持凹部７７が形成されている。
【００３８】
一方、延長ホース７１に設けられたノズル部７４は、延長ホース本体２２の他端に略円形環状板でなる係合部材７８と図示しないノズルを装着して構成されている。係合部材７８は、係合された継手７６の係止部材７５の横ずれ防止構造である凹部７９と保持具８０とが、その略円形環状板の外周部分に少なくとも１か所に設けられている。そして凹部７９の形状寸法は、給水ホース７２の継手７６に設けられた係止部材７５が係合した際に凹部７９から突出しない寸法となっている。すなわち、凹部７９の深さ寸法は係止部材７５の係合部分の高さ寸法より大きいものとなっている。また、保持具８０は、例えば鋼棒材を曲折して形成したもので、略Ｕ字状の保持部８１と両先端に支軸８２を有し、支軸８２を係合部材７８の延長ホース本体２２端側の面に突設した軸受け部８３に、保持部８１が凹部７９内で矢印Ｒで示すように回動可能に支持されている。そして係合部材７８は、ノズルの片端側を延長ホース本体２２の他端部に圧入するようにして装着する際、ノズルの片端側を係合部材７８の内径部分に貫通させた状態で、延長ホース本体２２の他端面とノズルの図示しない中間鍔部との間に挟持するようにして取り付けられている。
【００３９】
このように構成されているので、給水ホース７２に延長ホース７１を接続する場合には、給水ホース７２の先端に設けられた継手部７３の継手７６に、延長ホース７１の他端に設けられたノズル部７４のノズルを差し込むように嵌め合わせると共に、給水ホース７２の継手部７３に設けられた係止部材７５を、支持部２７を弾性変形させながら延長ホース７１の略軸方向を含む面内で、規制突起４０ａと規制片４０ｂにより動きが規制される範囲内で先端の係止爪２８を引き起こすように後端側を操作し、延長ホース７１の円形環状板の係合部材７８の外周部分に形成された凹部７９内に係止部材７５を嵌め合わせ、さらに係止爪２８を支持部２７の弾性復元力によって凹部７９の底部分に引掛け、係止部材７５を係合部材７８に係合する。またさらに、保持具８０を支軸８２を中心に係止部材７５の後端側に回動し、係止部材７５の後端に形成された保持凹部７７に嵌め合わせ、保持具８０によって、揺動可能に設けられた係止部材７５を動かないよう拘束する。これにより継手部７３の継手７６にノズル部７４のノズルが十分に差し込まれた状態になる。
【００４０】
また、この時、係止部材７５は、係合部材７８の凹部７９内に外周部分より外方に突出しないように嵌め合わされ、さらに先端の係止爪２８が凹部７９の底部分に引掛けられた状態になり、保持具８０で係止部材７５が拘束されるため、給水ホース７２あるいは延長ホース７１に外力が加わった場合でも、差し込み方向とは逆の方向には簡単に抜け外れてしまうことがなくなる。また継手部７３とノズル部７４の接合部分が床面上に置かれていて踏み付けられたり、設置物の隙間に挟まれるなどしたりしても、係止部材７５は凹部７９内に嵌め合わされていて横方向への動きが規制され、さらに保持具８０によって動かないよう拘束されているので、外力を受けて横方向にずれ動くことがなくなる。これにより係止爪２８が係合部材７８から外れてしまうことがなく、係止部材７５が変形したり、破損したりする虞が低減する。
【００４１】
なお、給水ホース７２と延長ホース７１の接続を解除する場合には、保持具８０を拘束を解除するように回動し、係止部材７５を操作し、支持部２７を弾性変形させながら先端の係止爪２８を引き起こして係合部材７８の凹部７９の底部分から外す。そして、この状態で継手７６からノズルを差し込み方向とは逆の方向に引き抜くことによって、給水ホース７２と延長ホース７１の接続は解除される。
【００４２】
次に、第６の実施形態を図８及び図９により説明する。図８はホース接合装置の要部の斜視図であり、図９はノズル部の斜視図である。なお、第１の実施形態と同一部分には同一符号を付して説明を省略し、異なる本実施形態の構成について説明する。
【００４３】
図８及び図９において、９１は第１のホースである延長ホースで、延長ホース本体２２の先端に給水ホース３３と同構成の図示しない継手部を設け、他端にノズル部９２を設けて構成されている。この延長ホース９１は、ノズル部９２の軸方向外側を第２のホースである給水ホース３３の継手部２３に接合することによって給水ホース３３と接続されるものである。そして延長ホース９１に設けられたノズル部９２は、延長ホース本体２２の他端に略円形環状板でなる係合部材９３と図示しないノズルを装着して構成されている。
【００４４】
係合部材９３は、係合された継手２６の係止部材２５の横ずれ防止構造である凹部７９と保持カバー９４とが、その略円形環状板の外周部分に少なくとも１か所に設けられている。そして凹部７９の形状寸法は、給水ホース３３の継手２６に設けられた係止部材２５が係合した際に凹部７９から突出しない寸法となっている。すなわち、凹部７９の深さ寸法は係止部材２５の係合部分の高さ寸法より大きいものとなっている。また、保持カバー９４は、合成樹脂製の係止部材２５を覆う形状のカバー体９５と、カバー体９５の片端部の両側面に突設された支軸９６を有し、支軸９６を係合部材９３の延長ホース本体２２端側の面に突設した軸受け部８３に、カバー体９５が凹部７９内で矢印Ｒで示すように回動可能に支持されている。そして係合部材９３は、ノズルの片端側を延長ホース本体２２の他端部に圧入するようにして装着する際、ノズルの片端側を係合部材９３の内径部分に貫通させた状態で、延長ホース本体２２の他端面とノズルの図示しない中間鍔部との間に挟持するようにして取り付けられている。
【００４５】
このように構成されているので、給水ホース３３に延長ホース９１を接続する場合には、給水ホース３３の先端に設けられた継手部２３の継手２６に、延長ホース９１の他端に設けられたノズル部９２のノズルを差し込むように嵌め合わせると共に、給水ホース３３の継手部２３に設けられた係止部材２５を、支持部２７を弾性変形させながら延長ホース９１の略軸方向を含む面内で、規制突起４０ａと規制片４０ｂにより動きが規制される範囲内で先端の係止爪２８を引き起こすように後端側を操作し、延長ホース９１の係合部材９３の外周部分に形成された凹部７９内に係止部材２５を嵌め合わせ、さらに係止爪２８を支持部２７の弾性復元力によって凹部７９の底部分に引掛け、係止部材２５を係合部材９３に係合する。またさらに、保持カバー９４を支軸９６を中心に係止部材２５を覆うように回動し、保持カバー９４で覆うことにより係止部材２５を動かないよう拘束する。この結果、継手部２３の継手２６にノズル部９２のノズルが十分に差し込まれた状態になる。
【００４６】
また、この時、係止部材２５は、係合部材９２の凹部７９内に外周部分より外方に突出しないように嵌め合わされ、さらに先端の係止爪２８が凹部７９の底部分に引掛けられた状態になり、保持カバー９４で係止部材２５が覆われることになるため、給水ホース３３あるいは延長ホース９１に外力が加わった場合でも、差し込み方向とは逆の方向には簡単に抜け外れてしまうことがなくなる。また継手部２３とノズル部９２の接合部分が床面上に置かれていて踏み付けられたり、設置物の隙間に挟まれるなどしたりしても、係止部材２５は凹部７９内に嵌め合わされていて横方向への動きが規制され、さらに保持カバー９４によって動かないよう覆われてしまっているので、外力を受けて横方向にずれ動くことがなくなる。これにより係止爪２８が係合部材９３から外れてしまうことがなく、係止部材２５が変形したり、破損したりする虞が低減する。
【００４７】
なお、給水ホース３３と延長ホース９１の接続を解除する場合には、保持カバー９４を係止部材２５から外すように回動し、続いて係止部材２５を操作し、支持部２７を弾性変形させながら先端の係止爪２８を引き起こして係合部材９３の凹部７９の底部分から外す。そして、この状態で継手２６からノズルを差し込み方向とは逆の方向に引き抜くことによって、給水ホース３３と延長ホース９１の接続は解除される。
【００４８】
尚、上記の各実施形態においては給水ホースへの延長ホースの接続を取り上げて説明したが、延長ホースに同様に形成された延長ホースを、さらに接続する場合にも適用でき、また、特に洗濯機用のホースだけでなく、適宜変更して実施し得るものである。
【００４９】
【発明の効果】
以上の説明から明らかなように、本発明によれば、それぞれの端にノズル部と継手部を設けたホースを、ノズルを継手に嵌挿して互いに接続するようにすると共に、継手部に設けた係止部材の係止爪を係合させるノズル部の係合部材に、係合された係止部材の横ずれ防止構造を備えるよう構成したことにより、ホース接合が確実に行えると共に、外力が加わっても係止部材が係合部材から簡単には外れてしまったりすることがない等の効果が得られる。
【図面の簡単な説明】
【図１】本発明の第１の実施形態のホース接合装置を説明するための図で、図１（ａ）はノズル部を断面で示す延長ホースの側面図、図１（ｂ）は給水ホースの側面図である。
【図２】本発明の第１の実施形態を示す要部の斜視図である。
【図３】本発明の第２の実施形態を示す要部の斜視図である。
【図４】本発明の第３の実施形態を示す要部の斜視図である。
【図５】本発明の第４の実施形態を示す要部の斜視図である。
【図６】本発明の第５の実施形態を示す要部の斜視図である。
【図７】本発明の第５の実施形態におけるノズル部の斜視図である。
【図８】本発明の第６の実施形態を示す要部の斜視図である。
【図９】本発明の第６の実施形態におけるノズル部の斜視図である。
【図１０】従来のホース接合装置を説明するための図で、図１０（ａ）はノズル部を断面で示す延長ホースの側面図、図１０（ｂ）は給水ホースの側面図である。
【符号の説明】
２１，４１，５１，６１，７１，９１…延長ホース
２２…延長ホース本体
２３，７３…継手部
２４，４２，５２，６２，７４，９２…ノズル部
２５，７５…係止部材
２６，７６…継手
２８…係止爪
２９，４３，５３、６３，７８，９３…係合部材
３０…ノズル
３３，７２…給水ホース
３５，７９…凹部
３７…給水ホース本体
４４…係合孔
４５…凸部
５４，６４…溝部
５５，６７…係合段部
６５…浅溝
６６…深溝
７７…保持凹部
８０…保持具
９４…保持カバー
【図１】
0003628147.tif 000002
【図２】
0003628147.tif 000003
【図３】
0003628147.tif 000004
【図４】
0003628147.tif 000005
【図５】
0003628147.tif 000006
【図６】
0003628147.tif 000007
【図７】
0003628147.tif 000008
【図８】
0003628147.tif 000009
【図９】
0003628147.tif 000010
【図１０】
0003628147.tif 000011